(57)【特許請求の範囲】
【請求項１】
床面に接床した状態で家具類を支持する支持部と、前記床面に接床した状態で前記支持
部から延び出す突出部と、を有する支持板と、
前記支持板に接続して、前記家具類を前記支持部の方向に向かって押圧する押圧機構と
、を、備え、
前記押圧機構は、前記突出部に固定される接続部材と、側面視Ｌ字形の角筒である一対の支持柱を含む支持部材と、前記一対の支持柱のそれぞれに螺合して前記家具類の上面を前記支持板の方向に押圧する押圧部材と、を有し、前記一対の支持柱は、一端が前記接続部材に嵌入されることで前記接続部材に固定されるとともに、他端および角部が繋材を介して接続されることを特徴とする転倒防止装置。
【請求項２】
前記突出部は、前記家具類の前面に垂直な方向となる第１方向および／または前記家具
類の側面に垂直な方向となる第２方向に突出することを特徴とする請求項１に記載の転倒
防止装置。
【請求項３】
前記接続部材は、前記家具類の背面の側に設けられることを特徴とする請求項１または２に記載の転倒防止装置。
【発明の詳細な説明】
【技術分野】
【０００１】
本発明は、地震に起因する家具類の転倒を防止する転倒防止装置に関する。
【背景技術】
【０００２】
家具、書棚、事務所のロッカー等の家具類の転倒を防止するための転倒防止装置については、突っ張り棒タイプのものや、家具類に固定された平板を、家具の底面と床との間に挟み込んで転倒を防止する平板タイプのものなど種々の提案がなされている。
【０００３】
特許文献１には、突っ張り棒タイプのものが提案されている。具体的には、棒状部材の両端部の外表面にそれぞれ巻き方向の異なる雄ネジを設け、雌ネジが内表面に設けられている上下の２種類の台座をそれぞれ棒状部材の両端部に螺合させる転倒防止装置である。この転倒防止装置は、棒状部材を回転させることにより、両端部の台座がお互いに離れる方向に移動する。このため、棒状部材を垂直にし、一方の台座を什器の上面に載置し、他方の台座を天井に接触させて、棒状部材を回転させると、両端部の台座がお互いに離れる方向に移動するため、什器の上面と天井を強く押すことになり、地震などによる強い揺れにより発生する什器の転倒を防止することが出来る。
【０００４】
特許文献２には、家具類と床との間に挟みこむ平板タイプのものが提案されている。具体的には、任意の家具の底面の前半部分よりやや大きい長方形の底板に家具固定止板を設け、この家具固定止板と家具をネジ固定するものである。
【先行技術文献】
【特許文献】
【０００５】
【特許文献１】特開平０８−３１７８２６号公報
【特許文献２】特開平０９−１６４０３５号公報
【発明の概要】
【発明が解決しようとする課題】
【０００６】
しかし、特許文献１で開示されている突っ張り棒型の転倒防止装置は、家具の上面と天井を常時強く押して家具類の転倒を防止するので、地震などの強い振動で突っ張り棒が横方向の強い力を受けて外れてしまい、家具類の転倒を防げない問題点があった。また、棒状部材を垂直に立てた状態で強い力で回転させなければならず設置は容易でない問題もあった。また、撤去後に、天井に突っ張り棒を押し付けた痕跡が残るという問題もあった。
【０００７】
特許文献２で開示されている平板タイプの転倒防止装置は、家具類を加工してネジ穴を設ける必要があることから据付は複雑であり多大な労力を要する。引っ越しや部屋の模様替えで転倒防止装置を取り外す必要に迫られる場合は、ネジを取り外さなければならず、再度ネジを取り付けるときは、家具に穿孔されたネジの位置がずれて家具が傷つけられる虞がある。ネジの位置がずれた場合は、家具と転倒防止装置との固定が十分でなくなり、地震によって家具と転倒防止装置が分離する可能性がある。また、金属製の家具には転倒防止装置の取付は困難である。
【０００８】
本発明は、これらの問題点に着目してなされたものであり、家具類に特段の加工を施すことなく容易に取り付けできて、しかも家具や天井を破損させることの無い転倒防止装置を提供するものである。
【課題を解決するための手段】
【０００９】
上記課題を解決するための発明は、転倒防止装置であって、床面に接床した状態で家具類を支持する支持部と、床面に接床した状態で前記支持部から延び出す突出部と、を有する支持板と、支持板に接続して、家具類を支持部の方向に向かって押圧する押圧機構を、備え、押圧機構は、突出部に固定される接続部材と、側面視Ｌ字形の角筒である一対の支持柱を含む支持部材と、一対の支持柱のそれぞれに螺合して家具類の上面を支持板の方向に押圧する押圧部材と、を有し、一対の支持柱は、一端が接続部材に嵌入されることで接続部材に固定されるとともに、他端および角部が繋材を介して接続されることを特徴とする。
【００１０】
ここでいう家具類とは、箪笥、本棚、戸棚、食器棚などのキャビネット、および冷蔵庫などの上面が水平な家電をいう。
【００１１】
この構成によれば、家具類が押圧機構によって支持部の方向に向かって押圧されることで、家具類と支持部とは圧縮力が負荷された状態で当接する。これにより転倒防止装置と家具類は構造的に一体となる。また、支持板は、支持部の端部から支持部が延びる方向に沿って延びる突出部を有するので、家具類が支持板に載置されている状態は、家具類が単独で床に載置された場合と比較して、大きな転倒抵抗モーメントを具備する。
【００１２】
好ましくは、突出部は、家具類の前面に垂直な方向となる第１方向および／または家具類の側面に垂直な方向となる第２方向に突出することを特徴とする。
【００１３】
この構成によれば、突出部は、家具類の前後方向となる第１方向および／または家具類の横方向となる第２方向に突出するので、家具類の形状や、設置位置に合わせて適宜適切に突出部を設定できる。
【００１６】
好ましくは、接続部材は、家具類の背面の側に設けられることを特徴とする。
【００１７】
この構成によれば、接続部材は、家具類の背面の側に設けられるので、少なくとも前面に設けられることはない。これにより、家具類に収容される収容物を前面から容易に出し入れすることができる。
【図面の簡単な説明】
【００１８】
【図１】（ａ）は転倒防止装置の側面図であり、（ｂ）は同、平面図である。
【図２】転倒防止装置を構成する部品の組立図である。
【図３】接合部材と支持部材の接合を説明する断面図である。
【図４】押圧部材の断面図である。
【図５】転倒防止装置の変形例である。
【発明を実施するための形態】
【００１９】
以下、図１〜４を参照して、転倒防止装置１の実施形態を詳述する。
【００２０】
キャビネット１００（家具類）は、側面１０３ａと背面１０２が壁１２０に近接した位置に設置されている。図１、２に示す通り、転倒防止装置１は、キャビネット１００を支持する支持板１０と、キャビネット１００を支持板１０の方向に向かって押圧する押圧機構２０を有している。支持板１０は床１１０に接床しており、キャビネット１００を支持する支持部１１と突出部１２を有している。
【００２１】
本実施形態では、転倒防止装置１が支持するとともに押圧するのは箪笥、本棚、戸棚、食器棚などのキャビネット１００であるが、冷蔵庫などの上面が水平な家電であってもよい。
【００２２】
突出部１２は、支持部１１から第１方向Ｄ１および第２方向Ｄ２に向かって支持部１１が延びる方向に沿って延びている。すなわち、平面視で前面１０１および背面１０２から第１方向Ｄ１に向かって突出するとともに、側面１０３ｂから第２方向Ｄ２に向かって突出している。
【００２３】
本実施形態では、支持部１１と突出部１２は、一体化された一つの部材として支持板１０を構成しているが、それぞれが分離した部材であっても良い。
【００２４】
本実施形態における支持板１０は、側面１０３ａが壁１２０に近接して設置されていることから側面１０３ａから第２方向Ｄ２に向かう突出部１２は設けられていない。また、背面１０２から第１方向Ｄ１に向かって突出する突出部１２は接続部材２１が着装できる最低限度のスペースが確保されているのみであり、他の突出部１２に比べて突出長さは短く設定されている。
【００２５】
突出部１２の突出長さは、キャビネット１００の形状に応じて適宜定めればよい。例えば、幅に比べて奥行が小さいキャビネット１００では、第１方向Ｄ１の突出長さを長く設定するとともに、第２方向Ｄ２の突出長さを短く設定すればよい。また、一定要件下、第２方向Ｄ２の突出を省略してもよいし、第１方向Ｄ１の突出を省略してもよい。
【００２６】
構造上、支持板１０が厚くなって床１１０との間に一定以上の段差が生じるときは、縁端部にテーパーを設けることが好ましい。これにより、歩行中の躓きを回避できる。また、段差とほぼ同じ厚さの板状部材、例えばカーペットを床１１０に敷設してもよい。
【００２７】
キャビネット１００を支持板１０に載置したとき、キャビネット１００の自重によって、支持板１０が跳ね上がり、支持板１０の縁端と床１１０に隙間が生じる可能性がある。これを回避するために、支持板１０中央部を縁端部より若干高くして上げ越ししておくことが好ましい。 
【００２８】
押圧機構２０は、接続部材２１、支持部材２２、および押圧部材２３を有している。２個の接続部材２１が、背面１０２に沿って所定の間隔で支持板１０に固定されている。接続部材２１は、角筒であり、一端は背面１０２側に設けられた突出部１２に固定されている。接続部材２１は、上方に開口する平面視矩形の開口部２７が画定される。また、上端部に孔２１ａが穿孔されている。孔２１ａは、接続部材２１の対向する面に1個ずつ合計２個の孔が穿孔されている。
【００２９】
支持部材２２は、一対の支持柱３０、３０、および繋材３０ａ、３０ｂを有している。支持柱３０は側面視Ｌ字形の角筒であり、開口部２７に嵌入されている。また、所定の間隔で孔２２ａが穿孔されている。孔２２ａは、合計で５カ所設けられており、それぞれの個所は、支持柱３０、３０の対向する面に１個ずつ合計２個の孔が穿孔されている。
【００３０】
繋材３０ａは、一対の支持柱３０、３０の他端に架け渡されて固定されている。また、繋材３０ｂは、Ｌ字形の支持柱３０、３０の角部に架け渡されて固定されている。繋材３０ａ、３０ｂは支持部材２２の全体剛性を高めて、支持柱３０の変形を低減させるためのものである。
【００３１】
押圧部材２３は、繋材３０ａ、３０ｂの間の支持柱３０、３０に装着されている。押圧部材２３で、上面１０４を押圧することで、キャビネット１００は支持板１０と押圧部材２３で挟持された状態となる。これにより、転倒防止装置１とキャビネット１００は構造的に一体化する。
【００３２】
支持板１０と押圧機構２０の接続について図２を参照して説明する。
【００３３】
支持柱３０の端部を接続部材２１に画定された開口部２７に嵌入する。支持ボルト２５を、接続部材２１に穿孔された孔２１ａ、および支持柱３０に穿孔された孔２２ａの５カ所の孔うちのいずれかに挿通する。その後、支持ボルト２５の先端部を、接続部材２１に固定されている支持ナット２５ａに螺合させる。これにより、支持板１０と押圧機構２０は一体化する。
【００３４】
図３に示す通り、接続部材２１の上端部に孔２１ａが穿孔されている。孔２１ａの一方に支持ナット２５ａが装着されている。支持柱３０の下端部は、所定の間隔で複数の孔２２ａが穿孔されている。支持ボルト２５は孔２１ａ、２２ａを貫通して支持ナット２５ａに螺合している。これにより、支持柱３０は、接続部材２１を介して支持板１０に固定される。また、支持ボルト２５が貫通する孔２２ａを変えることによって、押圧部材２３の押圧高さを変えることができる。
【００３５】
図４に示す通り、押圧部材２３は、押圧ボルト３３、および押圧板３４を有している。押圧ボルト３３は、支持柱３０に螺合している。押圧板３４は、押圧ボルト３３の端部に回動可能に接続している。押圧ボルト３３を回動することで押圧板３４は下方に移動する。押圧板３４が上面１０４に接触すると押圧板３４と上面１０４に摩擦力が生じ押圧板３４は回動できない状態となる。この状態で、押圧ボルト３３をさらに回動させると押圧板３４は回動しない状態で、より大きな押圧力で上面１０４を押圧する。押圧板３４が上下方向に移動できる距離は、隣接する孔２２ａの距離よりも大きく設定されている。すなわち、押圧ボルト３３に設けられた雄ネジの長さは、隣接する孔２２ａの距離よりも大きく設定されている。これにより、キャビネット１００の上面１０４の高さに応じて、孔２２ａの中から支持ボルト２５が貫通する孔２２ａを適切に選定して、キャビネット１００と転倒防止装置１が構造上一体とみなし得るに足りる所定の押圧力を確保できる。
【００３６】
キャビネット１００と転倒防止装置１が構造上一体とみなし得ることで、キャビネット１００の転倒を回避できる。例えば、地震によって第１方向Ｄ１に転倒しようとする場合、キャビネット１００単体の場合は、前面１０１の下端部を中心として回動する。一方で、キャビネット１００と転倒防止装置１が構造上一体とみなし得る場合は、前面１０１から第１方向Ｄ１に延びる支持板１０の縁端を中心として回動する。双方を比較すると後者のほうが明らかに転倒抵抗モーメントは大きくなる。大きな転倒抵抗モーメントを獲得することにより、キャビネット１００の転倒を回避できる。
【００３７】
本実施形態は例示であり、本発明の技術的思想を逸脱しない範囲で改変できることは勿論である。例えば、図５に示す通り、側面１０３ａが壁１２０から離隔する場合は、平面視で側面１０３ａから第２方向Ｄ２に向かって突出する突出部２１２を設けてもよい。
【産業上の利用可能性】
【００３８】
本発明の転倒防止装置１は、特段の加工を施すことなく取り付けることができることから、収納家具のみならず冷蔵庫などの家電にも取り付けが可能となる。また、天井や床も傷つけることがないことから、産業上の利用可能性は大である。
【符号の説明】
【００３９】
１：転倒防止装置
１０：支持板
１１：支持部
１２：突出部
２０：押圧機構
２１：接続部材
２２：支持部材
２３：押圧部材
２７：開口部
１００：キャビネット（家具類）
１０１：前面
１０２：背面
１０３ａ、１０３ｂ：側面
１０４：上面
１１０：床面
Ｄ１：第１方向
Ｄ２：第２方向
【要約】      （修正有）【課題】家具類に特段の加工を施すことなく容易に設置できて、しかも家具や天井を破損させることの無い転倒防止装置を提供する。【解決手段】キャビネット１００（家具類）は、側面１０３ａと背面１０２が壁１２０に近接した位置に設置されている。図１、２に示す通り、転倒防止装置１は、キャビネット１００を支持する支持板１０と、キャビネット１００を支持板１０の方向に向かって押圧する押圧機構２０を有している。支持板１０は床１１０に接床しており、キャビネット１００を支持する支持部１１と突出部１２を有している。キャビネット１００は、押圧機構２０によって支持板１０の方向に向かって押圧されることで、キャビネット１００と支持部とは圧縮力が負荷された状態で接触する。これにより転倒防止装置１とキャビネット１００は構造的に一体となる。【選択図】図１【図１】
0006953048.tif 000002
【図２】
0006953048.tif 000003
【図３】
0006953048.tif 000004
【図４】
0006953048.tif 000005
【図５】
0006953048.tif 000006